(57)【要約】【課題】記録紙の位置が幅方向にばらついても記録紙と転写ベルトとの吸着性を維持させることができる転写ローラ用電源制御装置を提供する。【解決手段】シート状記録媒体の幅方向のずれ量を検出するずれ量検出手段と、前記ずれ量検出手段により検出された前記ずれ量に応じて、前記シート状記録媒体に対して画像担体から画像を転写するために用いられる転写ローラに電源から供給する電圧又は電流の調整をする調整手段と、を備える。【選択図】図１３
2019124749.tif 000002
【特許請求の範囲】
【請求項１】
シート状記録媒体の幅方向のずれ量を検出するずれ量検出手段と、
前記ずれ量検出手段により検出された前記ずれ量に応じて、前記シート状記録媒体に対して画像担体から画像を転写するために用いられる転写ローラに電源から供給する電圧又は電流の調整をする調整手段と、
を備えることを特徴とする転写ローラ用電源制御装置。
【請求項２】
請求項１に記載の転写ローラ用電源制御装置であって、
前記調整手段は、設定量に対する前記ずれ量が大きいほど、前記電圧又は電流の所定の基準値に対する調整量が大きくなるような調整をすることを特徴とする転写ローラ用電源制御装置。
【請求項３】
請求項１又は２に記載の転写ローラ用電源制御装置であって、
前記調整手段は、前記調整を前記ずれ量と前記調整量との関係に関する所定の計算式に基づいて行うことを特徴とする転写ローラ用電源制御装置。
【請求項４】
請求項１又は２に記載の転写ローラ用電源制御装置であって、
前記調整手段は、前記調整を前記ずれ量と前記調整量との関係に関する所定のテーブルに基づいて行うことを特徴とする転写ローラ用電源制御装置。
【請求項５】
請求項１乃至４の何れか１項に記載の転写ローラ用電源制御装置であって、
前記幅方向の前記ずれ量とは、前回搬送された前記シート状記録媒体の幅方向の位置に対する今回搬送されている前記シート状記録媒体の幅方向の位置のずれ量であることを特徴とする転写ローラ用電源制御装置。
【請求項６】
請求項１乃至４の何れか１項に記載の転写ローラ用電源制御装置であって、
前記幅方向の前記ずれ量とは、基準となる所定の幅方向の位置に対する今回搬送されている前記シート状記録媒体の幅方向の位置のずれ量であることを特徴とする転写ローラ用電源制御装置。
【請求項７】
請求項１乃至６の何れか１項に記載の転写ローラ用電源制御装置であって、
前記ずれ量検出手段は、
前記シート状記録媒体の一方の幅方向のずれ量を検出する第１のずれ量検出手段と、
前記シート状記録媒体の他方の幅方向のずれ量を検出する第２のずれ量検出手段と、
前記第１のずれ量検出手段により検出されたずれ量と、前記第２のずれ量検出手段により検出されたずれ量とに基づいて算出したずれ量を、前記ずれ量検出手段が検出したずれ量とする算出手段と、
を備えることを特徴とする転写ローラ用電源制御装置。
【請求項８】
請求項７に記載の転写ローラ用電源制御装置であって、
前記算出手段は、前記第１のずれ量検出手段により検出されたずれ量と、前記第２のずれ量検出手段により検出されたずれ量とのうちの大きい方のずれ量を、前記ずれ量検出手段が検出したずれ量とすることを特徴とする転写ローラ用電源制御装置。
【請求項９】
請求項１乃至８の何れか１項に記載の転写ローラ用電源制御装置を備えることを特徴とする画像形成装置。
【請求項１０】
請求項１乃至８の何れか１項に記載の転写ローラ用電源制御装置を備えることを特徴とする複合機。
【請求項１１】
シート状記録媒体の幅方向のずれ量を検出するずれ量検出ステップと、
前記ずれ量検出手段により検出された前記ずれ量に応じて、前記シート状記録媒体に対して画像担体から画像を転写するために用いられる転写ローラに電源から供給する電圧又は電流の調整をする調整ステップと、
を有することを特徴とする転写ローラ用電源制御方法。
【発明の詳細な説明】
【技術分野】
【０００１】
本発明は、転写ローラ用電源制御装置、画像形成装置及び複合機並びに転写ローラ用電源制御方法に関する。
【背景技術】
【０００２】
図１を参照すると、電子写真式の画像形成装置においては、転写ローラ３５２は、接触位置３１Ａにおいて転写ベルト３５１の内周面に接触して設けられている。また、転写ローラ３５２には、トナー像を形成するトナーの帯電極性と逆極性の電圧が印加される。そして、転写ローラ３５２は、感光体ドラム３１に担持されたトナー像を接触位置３１Ａにおいて記録紙に転写させる。
【０００３】
転写についてより詳細に一例を説明すると、転写ローラ３５２は、電圧印加部３５６Ａにより負極性の電圧が印加される。これにより、接触位置３１Ａにおいて転写ローラ３５２と転写ベルト３５１との間で放電が発生し、この放電により、転写ベルト３５１に負極性の電荷が注入される。これにより、感光体ドラム３１に形成されたトナー像が転写ベルト３５１に向かって引き付けられ、転写ベルト３５１に静電吸着されている記録紙などのシートに転写される。
【先行技術文献】
【特許文献】
【０００４】
【特許文献１】特開２０１４−８８２６３号公報
【特許文献２】特開２００１−１０９３２５号公報
【発明の概要】
【発明が解決しようとする課題】
【０００５】
しかし、記録紙の搬送方向に対して垂直な記録紙の幅方向の位置は必ずしも一定であるわけではなく、一枚一枚の幅方向の位置には一般にばらつきがある。そうすると、記録紙に対する静電吸着力が弱くなり、記録紙が転写ベルトから剥離してしまい、記録紙に対する画像形成が不完全なものとなってしまう可能性が生じる。
【０００６】
特許文献１には、挟持ローラにより記録紙などの記録媒体の斜行補正と横レジスト補正を行うことができる画像形成装置が開示されているが、挟持ローラを回転可能にして横方向に移動可能にするための機構が必要になってしまう。また、特に搬送パスが短いとこの機構がジャムの原因となることがある。更に、１枚ずつ補正制御を行うので待ち時間が発生することがある。
【０００７】
また、特許文献２には、転写ベルトにより記録紙を静電吸着して搬送する際に、温度・湿度による吸着力の違いを解消するために、吸着バイアスを調整する画像形成装置が開示されているが、記録紙の幅方向の位置のばらつきによる記録紙の転写ベルトからの剥離には対応していない。
【０００８】
そこで、本発明は、記録紙の位置が幅方向にばらついても記録紙と転写ベルトとの吸着性を維持させることができる転写ローラ用電源制御装置、画像形成装置及び複合機並びに転写ローラ用電源制御方法を提供することを目的とする。
【課題を解決するための手段】
【０００９】
本発明によれば、
シート状記録媒体の幅方向のずれ量を検出するずれ量検出手段と、
前記ずれ量検出手段により検出された前記ずれ量に応じて、前記シート状記録媒体に対して画像担体から画像を転写するために用いられる転写ローラに電源から供給する電圧又は電流の調整をする調整手段と、
を備えることを特徴とする転写ローラ用電源制御装置が提供される。
【００１０】
また、本発明によれば上記の転写ローラ用電源制御装置を備えることを特徴とする画像形成装置が提供される。
【００１１】
更に、本発明によれば上記の転写ローラ用電源制御装置を備えることを特徴とする複合機が提供される。
【００１２】
更に、本発明によれば、
シート状記録媒体の幅方向のずれ量を検出するずれ量検出ステップと、
前記ずれ量検出手段により検出された前記ずれ量に応じて、前記シート状記録媒体に対して画像担体から画像を転写するために用いられる転写ローラに電源から供給する電圧又は電流の調整をする調整ステップと、
を有することを特徴とする転写ローラ用電源制御方法が提供される。
【発明の効果】
【００１３】
本発明によれば、記録紙の位置が幅方向にばらついても記録紙と転写ベルトとの吸着性を維持させることができる。
【図面の簡単な説明】
【００１４】
【図１】電子写真式の画像形成装置の転写ローラ、転写ベルト、感光体ドラムなどの転写に係る部分の一例を示す断面図である。
【図２】本発明の実施の形態による複合機の概念的断面図である。
【図３】電圧供給方式により転写ローラを帯電させる場合に、記録紙の幅方向のずれにより記録紙の転写ローラに対する静電吸着力が低下することを説明するための図である。
【図４】電子写真式の画像形成装置の二次転写ベルトユニット、レジストローラ対、画像センサ、搬送ローラ対などを示す図である。
【図５】記録紙の幅方向のずれを示す図である。
【図６】記録紙の幅方向のずれを示す他の図である。
【図７】本発明の実施の形態による記録紙の幅方向のずれ量と転写出力値との関係を保持するテーブルの内容を示す図である。
【図８】転写ローラの帯電が正常であるときに記録紙が搬送される経路を示す図である。
【図９】転写ローラの帯電が不十分であるときに記録紙が搬送される経路を示す図である。
【図１０】転写ローラの帯電分布を示す図である。
【図１１】転写ローラの帯電分布を示す他の図である。
【図１２】電流供給方式により転写ローラを帯電させる場合に、記録紙の幅方向のずれにより記録紙の転写ローラに対する静電吸着力が低下することを説明するための図である。
【図１３】本発明の実施の形態による転写ローラ用電源制御装置を追加した画像形成装置の構成を示す図である。
【発明を実施するための形態】
【００１５】
以下、図面を参照して本発明を実施するための形態について詳細に説明する。
【００１６】
図２に示すように、画像形成装置１００は、画像形成部１０と、自動原稿読取部２０と、原稿読取部３０と、を備え、画像データに応じて用紙に多色及び単色の画像形成処理を行う。
【００１７】
画像形成部１０は、露光ユニット１、現像器２、感光体ドラム３、クリーナ４、帯電器５、中間転写ベルトユニット６、二次転写ベルトユニット７、定着ユニット８、給紙カセット９、排紙トレイ１４等を有している。画像形成部１０は、用紙に画像形成処理を行う。
【００１８】
現像器２、感光体ドラム３、帯電器５、クリーナ４は、ブラック（Ｋ）、シアン（Ｃ）、マゼンタ（Ｍ）、イエロー（Ｙ）の各色のカラー画像に応じた４つの画像ステーションにそれぞれ配置されている。各ステーションでは、各色に応じた４種類の潜像を形成する。
【００１９】
クリーナ４は、トナーを排出する搬送スクリューと、搬送スクリューが配設された導管４Ａと、を備え、感光体ドラム３の周面に残留した廃トナーを回収して、導管４Ａを経由して排出する。
【００２０】
帯電器５は、感光体ドラム３の表面を所定の電位に均一に帯電させるチャージャ型の帯電器である。
【００２１】
露光ユニット１は、レーザ出射部及び反射ミラー等を備えたレーザスキャニングユニット（ＬＳＵ）である。露光ユニット１は、入力された画像データに応じたレーザ光で感光体ドラム３を露光することにより、感光体ドラム３の表面に画像データに応じた静電潜像を形成する。現像器２は、それぞれの感光体ドラム３上に形成された静電潜像を４色（ＹＭＣＫ）のトナーにより顕像化する。
【００２２】
中間転写ベルトユニット６は、感光体ドラム３の上方に配置され、中間転写ベルト６１、中間転写ベルト駆動ローラ６２、中間転写ベルト従動ローラ６３、中間転写ローラ６４、及び中間転写ベルトクリーニングユニット６５を有している。上記中間転写ローラ６４は、ＹＭＣＫの各色に対応して４本設けられている。中間転写ベルトクリーニングユニット６５は、廃トナーを排出する搬送スクリューが配設された導管６５Ａを備え、中間転写ベルト６１から除去した廃トナーを導管６５Ａを経由して廃トナー容器に排出する。
【００２３】
給紙カセット９は、画像形成に使用する用紙が積層されており、画像形成部１０の露光ユニット１の下側に設けられている。手差し給紙カセット９１にも画像形成に使用する用紙を置くことができる。画像形成部１０の上方に設けられている排紙トレイ１４は、画像形成部１０で画像形成処理を行った用紙を収納する。
【００２４】
二次転写ベルトユニット７は、二次転写ベルト７１及び二次転写駆動ローラ７２を備えている。二次転写駆動ローラ７２は、二次転写ベルト７１及び中間転写ベルト６１を挟んで中間転写ベルト駆動ローラ６２に所定のニップ圧で圧接している。
【００２５】
なお、図１は、例えば、モノクロ方式で、感光体ドラム３１から直接的に記録紙にトナー像を転写する方式のものであるが、図２に示すものは、カラー方式で、各色の感光体ドラム３から各色のトナー像を中間転写ベルト６１に転写してから、二次転写ベルトユニット７を用いて、中間転写ベルト６１に形成されているカラー画像を記録紙に転写するものである。従って、二次転写駆動ローラ７２が上記で説明した転写ローラ３５２に該当し、二次転写ベルト７１が転写ベルト３５１に該当する。
【００２６】
画像形成部１０には、給紙カセット９又は手差し給紙カセット９１の用紙を二次転写駆動ローラ７２や定着ユニット８を経由して排紙トレイ１４に送る用紙搬送路Ｌが設けられている。用紙搬送路Ｌは、給紙カセット９乃至手差し給紙カセット９１から排紙トレイ１４に至る搬送路である。用紙搬送路Ｌは、ピックアップローラ１１Ａ、１１Ｂ、搬送ローラ対１２Ａ、レジストローラ対１３、二次転写駆動ローラ７２、定着ユニット８、搬送ローラ対１２Ｂが上流側から下流側に向かってこの順に配置されている。
【００２７】
ピックアップローラ１１Ａは、給紙カセット９の端部近傍に備えられ、給紙カセット９から用紙を１枚ずつピックアップして用紙搬送路Ｌに供給する。ピックアップローラ１１Ｂは、手差し給紙カセット９１の端部近傍に備えられ、手差し給紙カセット９１から用紙を１枚ずつピックアップして用紙搬送路Ｌに供給する。
【００２８】
レジストローラ対１３は、用紙搬送路Ｌに沿って搬送されている用紙を一旦保持するものである。そして、感光体ドラム３上のトナー像の先端と用紙の先端を合わせるタイミングで用紙を下流側の中間転写ベルト６１を介した中間転写ベルト駆動ローラ６２及び二次転写駆動ローラ７２から成るローラ対へ搬送する。
【００２９】
中間転写ベルト６１を介した中間転写ベルト駆動ローラ６２及び中間転写ベルト従動ローラ６３から成るローラ対は、用紙を狭持搬送して中間転写ベルト６１上に担持されているトナー像を用紙の印刷面に転写するローラ対である。
【００３０】
定着ユニット８は、二次転写駆動ローラ７２の上方に配置されており、第１の定着ローラであるヒートローラ８１及び第２の定着ローラである加圧ローラ８２から成るローラ対を有し、トナー像が転写された用紙を加熱及び加圧して用紙表面にトナー像を定着させる。
【００３１】
上記の説明では、印刷されるシート状記録媒体の一例として記録紙をあげたが、これ以外のシート状記録媒体を用いてもよい。
【００３２】
図３を参照すると、電圧供給方式の場合、転写ローラに電圧を与えることで、転写ローラに金属イオンが発生し、反対電荷の表面（記録紙）を引き付ける。これを図３において下向きの矢印で表す。静電効果により、記録紙は転写ローラに吸着する。一般的に、記録紙が厚いと、表面上の電荷に対する記録紙重みが増えてしまい、静電吸着力が落ち、剥離しやすくなる。記録紙エッジ部は、記録紙エリア外にあるイオンからの影響も受けるので、より吸着性はあがる。これを図３において斜め下向きの矢印で表す。
【００３３】
図４は、図２に示す電子写真式の画像形成装置のうちの二次転写ベルトユニット７、レジストローラ対１３、画像センサ２０１、搬送ローラ対１２Ａなどの機構部を示す図であり、図５は、そのうちの画像センサ２０１、搬送ローラ対１２Ａを示す図である。
【００３４】
図４、図５を参照すると、搬送ローラ対であるレジスト前ローラ対１２Ａの直後の画像センサ２０１で、給紙部より搬送された記録紙の幅方向のエッジ部を確認する。画像センサ２０１は、例えば、ＣＩＳ又はＣＣＤであり、記録紙の端部の位置を検出する機能を少なくとも有する。また、画像センサ２０１は、記録紙の左端部と右端部に対応して一対用意されている。左端部に設けられた画像センサ２０１により検出されたずれ量と右端部に設けられた画像センサ２０１により検出されたずれ量の平均値を最終ずれ量としてもよいし、最大値を最終ずれ量としてもよいし、他の計算式にこれらのずれ量を通した値を最終ずれ量としてもよい。また、画像センサ２０１を左端側のものだけ、又は、右端側のものだけにして、それが検出したずれ量を最終ずれ量としてもよい。
【００３５】
確認したエッジ部により、１つの前の搬送記録紙との幅方向のずれ量ｚ（図５、図６参照）を検出し、検出したずれ量ｚに基づいて、転写高圧出力値を調整する。なお、ずれ量としては、基準となる幅方向の位置との差分をとってもよい。
【００３６】
測定したずれ量をキーとして、図７に示すようなずれ量と転写出力値との関係を表すテーブルから転写出力値を検索し、検索された転写出力値に比例した電圧又は電流を転写ローラに供給する。
【００３７】
テーブルを参照すると、ずれ量ｚが０であるときには転写出力値ＴＰを、
設定値−１
にする。また、ずれ量ｚが１から１０であるときには転写出力値ＴＰを、
設定値
にする。更に、ずれ量ｚが１０から５０であるときには転写出力値ＴＰを、
設定値＋１
にする。更に、ずれ量ｚが５０から１００であるときには転写出力値ＴＰを、
設定値＋３
にする。更に、ずれ量ｚが１００以上であるときには転写出力値ＴＰを、
設定値＋１０
にする。
【００３８】
ずれ量が０であるときではなく、ずれ量が１から１０であるときに転写出力値ＴＰを設定値にしているのは、ずれ量が１から１０である場合が多いからである。
【００３９】
また、調整は、下式に基づいて行ってもよい。
【００４０】
転写出力値
＝設定値＋（設定値×ずれ量×α）−１
ここで、
α：係数
記録紙の吸着性と記録紙ずれの関係及び記録紙サイズエッジ位置のずれ量検出についての説明を次にする。
【００４１】
図８に示すものは、図２に示すものと同様に、カラー方式で、各色の感光体ドラムから各色のトナー像を中間転写ベルトに転写してから、二次転写ベルトユニットを用いて、中間転写ベルトに形成されているカラー画像を記録紙に転写するものである。
【００４２】
図８を参照すると、通常搬送時は、転写ベルト７１に記録紙３０３が吸着された状態で、中間ベルト駆動ローラ６２と転写ローラ７２の間において、転写ローラ７２により画像が中間転写ベルト（図示せず。）から記録紙３０３に転写される。その後、剥離爪部３０５で、記録紙３０３が、転写ベルト７１より剥離され、第１の定着ローラ８１と第２の定着ローラ８２の間に、搬送され、これにより画像が記録紙３０３に定着される。
【００４３】
図９を参照すると、吸着力が弱いと、転写ローラ７２を記録紙３０３の先端が抜けた辺りで、記録紙３０３は、その片側より転写ベルト７１から剥離し、剥離爪３０５に到達する前に、記録紙３０３の先端部が転写ベルト７１より離れる。その記録紙３０３は、画像の定着前にガイド３１１に衝突し、これがジャムの原因となる。
【００４４】
次に、転写ベルト７１に定電圧を与える場合における記録紙の吸着性と記録紙ずれの関係の原理は次のようになる。
【００４５】
まず、図１０を参照すると、転写ローラ７２にマイナスの電圧を印加することで、記録紙３０３を静電吸着させている。これを下方向の短い矢印で示す。
【００４６】
その吸着において、記録紙３０３の先端部や端部は、転写ローラ７２の記録紙のない箇所からの吸着の影響も受けている。これを斜め右下方向の矢印及び斜め左下方向の矢印で示す。
【００４７】
プラス電荷のトナーは、記録紙３０３に付着する。また、プラス電荷のトナーは、記録紙３０３以外の部分（つまり、転写ローラ７２）にも付着する。これを下方向の長い矢印で示す。これにより、転写ローラ７２の電位は上がる。
【００４８】
マイナス電荷の金属イオンは、転写ローラ７２にとどまらず、ここから記録紙３０３に移動する。これによっても転写ローラ７２の電位は上がる。
【００４９】
これらにより、転写ベルト７１の電位は上がり、本来マイナス帯電で発揮していた転写ベルト７１の静電力が落ちる。
【００５０】
その後、電源により転写ローラ７２に対して転写電位を供給しても、転写ベルト７１の電位は、図１１に示すような電位までしか戻らない。つまり、記録紙３０３が存在していた領域の電位は充分にマイナス帯電することができなくなってしまう。図１１においては、マイナス帯電によるマイナス電圧の絶対値をマイナス記号の大きさによって示している。
【００５１】
ここで、対策のつもりで単純にマイナス電圧の絶対値を上げると、剥離爪３０５により転写ベルト７１から記録紙３０３を剥離できず、これにより、転写ベルト７１への記録紙３０３の巻きつけが発生してしまう。
【００５２】
次に、図３を参照すると、その後、２枚目の記録紙が、左寄りの位置を通過すると、点Ａの箇所は、記録紙３０３の先端部や端部であるが、転写ベルト７１のマイナス電圧の絶対値が少ない位置に重なる。ここでの吸着量は低下しているため、記録紙３０３は、転写ベルト７１から剥離しやすくなる。
【００５３】
次に、図１２を参照すると、転写ローラ７２及び転写ベルト７１（図８、図９参照）の転写ローラ７２と記録紙の間の部分に定電流を与える電流供給方式場合における記録紙の吸着性と記録紙ずれの関係の原理は次のようになる。
【００５４】
まず、図１２を参照すると、電流供給方式の場合、定電流Ｉ、記録紙３０３の電気抵抗Ｒを用いて表すと、転写ローラ７２及び転写ベルト７１（図８、図９参照）の記録紙のある部分の電位Ｖは、−Ｉ・Ｒとなる。図１２においては、この部分の電位Ｖを大きなマイナス記号で表している。これに対して、転写ローラ７２及び転写ベルト７１（図８、図９参照）の記録紙３０３がない部分はこのような電圧降下がないため、表面に電荷が発生しない。図１２においては、この部分の電位Ｖを小さなマイナス記号で表している。
【００５５】
ここで、図示する今回の記録紙３０３の位置に対して図示しない次回の記録紙が左寄りの位置を通過すると、次回の記録紙の先端部や端部が転写ベルト７１のマイナス電圧の絶対値が少ない領域Ｂに重なる。ここでの吸着量は低下しているため、記録紙３０３は、転写ベルト７１から剥離しやすくなる。
【００５６】
従って、定電圧駆動の場合は、図１０、図１１を参照して説明したように、記録紙の幅方向のずれにより紙の内側方向に移動した端部が剥離しやすくなり、定電流駆動の場合は、図１２を参照して説明したように、記録紙の幅方向のずれにより紙の外側方向に移動した端部が剥離しやすくなる。いずれにしても、記録紙の幅方向の位置ずれがあると、左右何れかの端部が剥離しやすくなってしまう。
【００５７】
図１３は、図２に示す複合機のうちの二次転写ベルトユニット７、レジストローラ対１３、画像センサ２０１、搬送ローラ対１２Ａなどの機構部とずれ量検出部５０１、調整部５０３、駆動部５０５を含む転写ローラ用電源制御装置を示す。
【００５８】
図１３を参照すると、ずれ量検出部５０１は、画像センサ２０１からの検出信号に基づいて、記録紙の幅方向のずれ量を検出する。具体的には、左端部に設けられた画像センサ２０１により検出されたずれ量と右端部に設けられた画像センサ２０１により検出されたずれ量の平均値を最終ずれ量としてもよいし、最大値を最終ずれ量としてもよいし、他の計算式にこれらのずれ量を通した値を最終ずれ量としてもよい。また、画像センサ２０１を左端側のものだけ、又は、右端側のものだけにして、それが検出したずれ量を最終ずれ量としてもよい。
【００５９】
調整部５０３は、ずれ量検出部５０１により検出されたずれ量に基づいて電圧又は電流の調整をする。調整部５０３は、ずれ量検出部５０１が検出したずれ量をキーにして、図７に示すようなテーブルから転写出力値ＴＰを検索し、この転写出力値ＴＰを駆動部５０５に転写ローラにかける電圧又は転写ローラに流す電流を制御するための制御信号として出力する。
【００６０】
駆動部５０５は、調整部５０３からの調整のための制御信号に基づいて、転写ローラを駆動するための電圧又は電流を調整しつつ、転写ローラに電圧又は電流を与える。
【００６１】
上記の転写ローラ用電源制御装置は、ハードウェア、ソフトウェア又はこれらの組合わせにより実現することができる。また、上記の転写ローラ用電源制御装置により行なわれる転写ローラ用電源制御方法も、ハードウェア、ソフトウェア又はこれらに組合わせにより実現することができる。ここで、ソフトウェアによって実現されるとは、コンピュータがプログラムを読み込んで実行することにより実現されることを意味する。
【００６２】
プログラムは、様々なタイプの非一時的なコンピュータ可読媒体（ｎｏｎ−ｔｒａｎｓｉｔｏｒｙｃｏｍｐｕｔｅｒｒｅａｄａｂｌｅｍｅｄｉｕｍ）を用いて格納され、コンピュータに供給することができる。非一時的なコンピュータ可読媒体は、様々なタイプの実体のある記録媒体（ｔａｎｇｉｂｌｅｓｔｏｒａｇｅｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（ＲｅａｄＯｎｌｙＭｅｍｏｒｙ）、ＣＤ−Ｒ、ＣＤ−Ｒ／Ｗ、半導体メモリ（例えば、マスクＲＯＭ、ＰＲＯＭ（ＰｒｏｇｒａｍｍａｂｌｅＲＯＭ）、ＥＰＲＯＭ（ＥｒａｓａｂｌｅＰＲＯＭ）、フラッシュＲＯＭ、ＲＡＭ（ｒａｎｄｏｍａｃｃｅｓｓｍｅｍｏｒｙ））を含む。また、プログラムは、様々なタイプの一時的なコンピュータ可読媒体（ｔｒａｎｓｉｔｏｒｙｃｏｍｐｕｔｅｒｒｅａｄａｂｌｅｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００６４】
本発明は、転写ローラから記録紙が剥離することを防止するために利用することができる。
【符号の説明】
【００６５】
７  二次転写ベルトユニット
１２Ａ  搬送ローラ対
１３  レジストローラ対
６１  中間転写ベルト
７１  二次転写ベルト
７２  二次転写駆動ローラ
２０１  画像センサ
５０１  ずれ量検出部
５０３  調整部
５０５  駆動部
【図１】
2019124749.tif 000003
【図２】
2019124749.tif 000004
【図３】
2019124749.tif 000005
【図４】
2019124749.tif 000006
【図５】
2019124749.tif 000007
【図６】
2019124749.tif 000008
【図７】
2019124749.tif 000009
【図８】
2019124749.tif 000010
【図９】
2019124749.tif 000011
【図１０】
2019124749.tif 000012
【図１１】
2019124749.tif 000013
【図１２】
2019124749.tif 000014
【図１３】
2019124749.tif 000015